(57)【要約】      （修正有）【課題】弦やギターの破損を防止し易くするとともに、収納や持ち運びの利便性をより向上した構造のギターを提供する。【解決手段】ギター１は、本体部と、前記本体部に着脱可能なネック部２０と、前記ネック部２０側の弦５０の一端を係止し、前記ネック部２０に着脱可能なネック側弦係止部と、前記本体部側の弦の一端を係止し、前記本体部に着脱可能な本体側弦係止部と、を備える。【選択図】図３
2014021179.tif 000002
【特許請求の範囲】
【請求項１】
本体部と、
前記本体部に着脱可能なネック部と、
前記ネック部側の弦の一端を係止し、前記ネック部に着脱可能なネック側弦係止部と、
前記本体部側の弦の一端を係止し、前記本体部に着脱可能な本体側弦係止部と、を備える、
ことを特徴とするギター。
【請求項２】
請求項１に記載のギターであって、
前記本体部に固定された基盤部と、
前記本体側弦係止部のネック側への移動を制限する制限部と、を備え、
前記制限部は、前記基盤部との弦方向の距離を調整可能に連結されている、
ことを特徴とするギター。
【請求項３】
請求項２に記載のギターであって、
前記本体側弦係止部及び前記制限部は、互いに向かい合って接する面を備え、前記本体側弦係止部がネック側に引っ張られることにより、前記本体側弦係止部の弦方向の位置が定まる、
ことを特徴とするギター。
【請求項４】
請求項３に記載のギターであって、
前記互いに向かい合って接する面は、互いに嵌り合う一組以上の凸部及び凹部を有する、
ことを特徴とするギター。
【請求項５】
請求項２〜４いずれか一項に記載のギターであって、
前記本体側弦係止部は、係止される前記本体部側の各弦の一端の弦方向の位置を調整する調整手段を有する、
ことを特徴とするギター。
【請求項６】
請求項２〜５いずれか一項に記載のギターであって、
前記制限部は、前記基盤部とネジ部により連結されており、当該ネジ部の回転により前記弦方向の距離を調整可能である、
ことを特徴とするギター。
【請求項７】
ネック部と本体部とを備えるギターの弦調整構造であって、
前記本体部側の弦の一端を係止し、前記本体部に着脱可能な弦係止部と、
前記本体部に固定される基盤部と、
前記本体側弦係止部のネック側への移動を制限する制限部と、を備え、
前記制限部は、前記基盤部との弦方向の距離を調整可能に連結されている、
ことを特徴とする弦調整構造。
【発明の詳細な説明】
【技術分野】
【０００１】
本発明は、ギター、及びその弦調整構造に関する。
【背景技術】
【０００２】
収納や持ち運びの利便性を向上にするために、折り畳んだり分解したりすることができる構造を有するギターが知られている。
【０００３】
例えば、特許文献１には、ネック部をボディ部とジョイントで接続し、ジョイントを回転することでネック部を折り畳むことができるギターが記載されている。
【先行技術文献】
【特許文献】
【０００４】
【特許文献１】特開平８−２０２３４８
【発明の概要】
【発明が解決しようとする課題】
【０００５】
ところで、通常、ギターを持ち運ぶ際は、弦を張った状態（もちろん、弦を緩めてもよい）で持ち運ぶ。しかし、特許文献１に開示されているギターでは、弦の両端は、マシン・ヘッド及びブリッジに固定されている。そのため、ネック部をボディ部に向かい合うように折り畳むと、例えば、弦が折れて破損する、弦がギターの表面と接触して傷つける、などのおそれがある。
【０００６】
本発明は、弦やギターの破損を防止し易くするとともに、収納や持ち運びの利便性をより向上した構造のギターを提供することを目的とする。
【課題を解決するための手段】
【０００７】
本願は、上記課題の少なくとも一部を解決する手段を複数含んでいるが、その例を挙げるならば、以下のとおりである。
【０００８】
上記の課題を解決するための本発明の一態様は、本体部と、前記本体部に着脱可能なネック部と、前記ネック部側の弦の一端を係止し、前記ネック部に着脱可能なネック側弦係止部と、前記本体部側の弦の一端を係止し、前記本体部に着脱可能な本体側弦係止部と、を備える、ことを特徴とするギターである。
【０００９】
上記した以外の課題、構成、及び効果は、以下の実施形態の説明により明らかにされる。
【図面の簡単な説明】
【００１０】
【図１】本発明の一実施形態に係るギター１の正面図（組み立て状態）。
【図２】ギター１の側面図（組み立て状態）。
【図３】ギター１の斜視図（分解した状態）。
【図４】ギター１をケース５００に収納した状態の斜視図（分解した状態）。
【図５】ネック部２０の構造を説明する図。
【図６】弦固定部３０の構造を説明する図。
【図７】弦調整部４０の構造を説明する図（その１）。
【図８】弦調整部４０の構造を説明する図（その２）。
【図９】弦調整部４０の構造を説明する図（その３）。
【図１０】弦調整部４０の構造を説明する図（その４）。
【図１１】弦係止部４４０の構造を説明する図（その１）。
【図１２】弦係止部４４０の構造を説明する図（その２）。
【図１３】弦係止部４４０の構造を説明する図（その３）。
【発明を実施するための形態】
【００１１】
以下、本発明の一実施形態について、図面を参照して説明する。
【００１２】
図１は、本発明の一実施形態に係るギター１の正面図（組み立て状態）である。図２は、ギター１の側面図（組み立て状態）である。なお、図２では、弦５０を省略している。
【００１３】
ギター１は、いわゆるエレクトリック・ギターとしての機能を有する。
【００１４】
ギター１は、ボディ部１０と、ネック部２０と、を有する。ボディ部１０は、ピックアップ１１と、ブリッジ１２と、弦調整部４０と、を有する。ボディ部１０は、その他に、ボリューム・コントロール、トーン・コントロール、ピックアップ・スイッチ、などを有する。ネック部２０は、ボディ部１０から遠い側の一端に、弦固定部３０を有する。ネック部２０は、その他に、ナット２１、フレット、指板、などを有する。
【００１５】
弦５０は、その両端が、弦固定部３０及び弦調整部４０により係止され、ナット２１及びブリッジ１２を介して、ギター１に張られる。詳細は後述するが、弦固定部３０の弦係止部３００は、弦５０のネック側の一端を係止するとともに、ネック部２０の先端に着脱可能に固定される。また、詳細は後述するが、弦調整部４０の弦係止部４４０は、弦５０のボディ側の一端を、張力を調整可能に係止するとともに、ボディ部１０に着脱可能に固定される。
【００１６】
図３は、ギター１の斜視図（分解した状態）である。本図は、ギター１を持ち運ぶ際に、ギター１がどのように分解されるかを示している。
【００１７】
ギター１は、組み立て構造を有している。すなわち、ボディ部１０とネック部２０とを、分離できるようになっている。また、ネック部２０と弦固定部３０の一部（詳細には、後述の弦係止部３００）とを、分離できるようになっている。また、ボディ部１０と弦調整部４０の一部（詳細には、後述の弦係止部４４０）とを、分離できるようになっている。詳細は後述するが、上述の各部は、手作業で容易に分離したり組み立てたりできるようになっている。
【００１８】
図４は、ギター１をケース５００に収納した状態の斜視図（分解した状態）である。本図は、ギター１を持ち運ぶ際に、図３のように分解されたギター１の各部がどのように収納されるかの一例を示している。
【００１９】
分離されたギター１の各部は、例えば、図示するような見開きのケース５００に収納することができる。
【００２０】
ケース５００は、本体部５１０と蓋部５２０を有する。本体部５１０には、ボディ部１０及びネック部２０それぞれを嵌め込むことができるように、各部に対応する形状の穴が開けられた緩衝材が設けられている。蓋部５２０には、例えば、弦固定部３０（詳細には、後述の弦係止部３００）及び弦調整部４０（詳細には、後述の弦係止部４４０）それぞれを嵌め込むことができるように、各部に対応する形状の穴が開けられた緩衝材が設けられている。
【００２１】
また、蓋部５２０には、弦５０が動きにくいように固定する紐部５２１を有する。紐部５２１により、弦５０が蓋部５２０の内側に抑え付けられ、ケース５００を閉めた場合でも動きにくくなる。
【００２２】
図５は、ネック部２０の構造を説明する図である。本図は、ネック部２０とボディ部１０の着脱構造の一例を示している。
【００２３】
ネック部２０は、その裏側（不図示のフレットや指板と反対側）に、プレート２１０が固定されている。プレート２１０は、例えば、鉄などの金属で構成され、ネジ等によりネック部２０に固定される。プレート２１０には、雄ネジ２４０に対応する雌ネジ孔２１１が形成されている。また、ネック部２０の裏側には、プレート２１０を介して雄ネジ２４０の先端部が挿入される穴２１２が形成されている。
【００２４】
ボディ部１０には、ネック部２０のボディ側の一端部を位置決めし、セットするための窪み２３０が形成されている。また、ボディ部１０の裏側（ピックアップ１１と反対側）に、プレート２２０が固定されている。プレート２２０は、例えば、鉄などの金属で構成され、ネジ等によりボディ部１０に固定される。プレート２２０には、雄ネジ２４０が貫通する孔２２１が形成されている。また、窪み２３０の底面には、プレート２２０を介して雄ネジ２４０が貫通する孔２２２が形成されている。
【００２５】
ネック部２０は、窪み２３０にセットされた状態で、雄ネジ２４０及び雌ネジ孔２１１により、ボディ部１０に固定される。雄ネジ２４０の頭部には、人間が指で掴んで回すことができる取っ手が形成されている。ユーザーは、雄ネジ２４０を簡単に回すことができ、ネック部２０をボディ部１０に対して簡単に着脱することがきる。
【００２６】
なお、ネック部２０をボディ部１０に対して着脱できれば、着脱構造は上記の構造例に限られない。
【００２７】
図６は、弦固定部３０の構造を説明する図である。
【００２８】
弦固定部３０は、ネック部２０の先端部（ボディ部１０から遠い側）であって、ナット２１よりも遠くに位置する。弦固定部３０は、弦係止部３００と、基盤部３１０と、雄ネジ３２０とを有する。
【００２９】
弦係止部３００は、例えば、鉄などの金属で構成される。弦係止部３００には、雄ネジ３２０が弦方向（弦５０と略並行する方向）に貫通する孔３０１が形成されている。また、弦係止部３００には、弦５０の一端が貫通する孔３０３が形成されている。また、弦係止部３００の上側（ネック部２０の表側と同じ側）には、各弦５０ごとに、雄ネジ３０２に対応する雌ネジ孔（不図示）が形成されており、当該雌ネジ孔は、孔３０３に上側から連結している（不図示）。
【００３０】
弦５０の一端を孔３０３に貫通させた状態で、雄ネジ３０２を締めることにより、雄ネジ３０２の先端面と孔３０３の下側の面とで弦５０が上下に挟まれ、弦５０の一端が弦係止部３００に係止される。雄ネジ３０２の頭部には、例えば、レンチ穴が開けられている。ユーザーは、レンチを用いて雄ネジ３０２を左又は右に回すことで、弦５０を弦係止部３００に対して簡単に着脱することがきる。
【００３１】
基盤部３１０は、例えば、鉄などの金属で構成され、ネジ等によりネック部２０の先端面に固定される。基盤部３１０には、弦方向に雄ネジ３２０に対応する雌ネジ孔３１１が形成されている。なお、ネック部２０の先端部には、雌ネジ孔３１１を介して雄ネジ３２０の先端部が挿入される穴（不図示）が形成されている。
【００３２】
弦係止部３００は、弦方向から見て対応する孔３０１と雌ネジ孔３１１が重なるように位置決めされた状態で、雄ネジ３２０及び雌ネジ孔３１１により、基盤部３１０に固定される。雄ネジ３２０の頭部には、人間が指で掴んで回すことができる取っ手が形成されている。ユーザーは、雄ネジ３２０を簡単に回すことができ、弦係止部３００を基盤部３１０に対して簡単に着脱することがきる。
【００３３】
基盤部３１０及び弦係止部３００の互いに向かい合って接する面には、互いに嵌り合う一組以上の凸部及び凹部が形成されていてもよい。このようにすれば、基盤部３１０に対する弦係止部３００の位置決めをし易くするとともに、雄ネジ３２０を軸とする弦係止部３００の回転を防ぐことができる。
【００３４】
なお、弦５０を係止することができれば、弦係止部３００の構造は、上記の構造例に限られない。また、弦係止部３００をネック部２０に対して着脱可能に固定できれば、着脱構造は上記の構造例に限られない。
【００３５】
図７は、弦調整部４０の構造を説明する図（その１）である。図８は、弦調整部４０の構造を説明する図（その２）である。図９は、弦調整部４０の構造を説明する図（その３）である。図１０は、弦調整部４０の構造を説明する図（その４）である。
【００３６】
図１１は、弦係止部４４０の構造を説明する図（その１）である。図１２は、弦係止部４４０の構造を説明する図（その２）である。図１３は、弦係止部４４０の構造を説明する図（その３）である。なお、図１１〜図１３は、一本の弦に関する構造に着目しており、他の弦に関する構造は省略している。
【００３７】
弦調整部４０は、基盤部４００と、支持部（「制限部」と呼んでもよい。）４１０と、弦係止部４４０と、を有する。これらの各部は、例えば、鉄などの金属で構成される。
【００３８】
基盤部４００は、ボディ部１０の表面の、ブリッジ１２を介してネック部２０から遠い側に固定される。基盤部４００は、例えば、ネジ等によりボディ部１０に固定される。
【００３９】
基盤部４００は、弦方向と直交する方向にボディ部１０の表面に沿って延びる平板部４０１と、平板部４０１の長手方向の両端に位置する一対の平板部４０２とから形成される。平板部４０２には、弦方向に雄ネジ４２０に対応する雌ネジ孔４０５が形成されている。
【００４０】
支持部４１０は、弦方向と直交する方向にボディ部１０の表面に沿って延びる平板部４１１と、平板部４１１の長手方向の両端に位置する一対の肉厚部４１２（図中のＬ字型あるいは逆Ｌ字型とも呼ぶことができる部分。）とから形成される。肉厚部４１２には、雌ネジ孔４０５と対応する位置に、雄ネジ４２０と対応する雌ネジ孔４１５が形成されている。雌ネジ孔４１５は、弦方向に貫通している。また、肉厚部４１２の雌ネジ孔４１５より内側の位置には、弦係止部４４０の一対の穴４４６に挿入される一対のロッド部４１６が設けられている。
【００４１】
支持部４１０は、弦方向から見て対応する雌ネジ孔４１５と雌ネジ孔４０５が重なるように位置決めされた状態で、雄ネジ４２０及び雌ネジ孔４１５により、弦方向の位置を調整可能に基盤部４００に支持（「連結」と呼んでもよい。）される。すなわち、雄ネジ４２０が左又は右に回転することにより、支持部４１０は弦方向に移動可能である。
【００４２】
なお、支持部４１０は、弦係止部４４０がセットされた状態で、弦係止部４４０が弦５０の張力によりネック側に引っ張られることで、ネック側に引っ張られる。しかし、支持部４１０は、雄ネジ４２０の頭部が、基盤部４００の雌ネジ孔４０５が設けられている面に接して係止されることにより、ネック側への動きが制限され、雄ネジ４２０の回転量に応じた弦方向の位置に固定される。
【００４３】
雄ネジ４２０は、弦方向のその先端と反対側の一部の幅（少なくとも平板部４０２の弦方向の厚みに対応する幅）には、雄ネジが形成されていない。雄ネジが形成されていない部分の口径は、雌ネジ孔４０５を通過できる大きさとなっている。また、雄ネジ４２０の頭部には、人間が指で掴んで回すことができる取っ手が形成されている。ユーザーは、雄ネジ４２０を簡単に回すことができ、支持部４１０を簡単に弦方向に移動することができる。
【００４４】
弦係止部４４０は、弦方向と直交する方向にボディ部１０の表面に沿って延びる平板部４４１と、ネック側の一辺を開けて平板部４４１の周囲を囲む肉厚部４４２とから形成される。肉厚部４４２には、支持部４１０の一対のロッド部４１６と対応する位置に、一対のロッド部４１６が挿入される穴４４６が形成されている。
【００４５】
弦係止部４４０は、弦方向から見て対応する穴４４６とロッド部４１６が重なるように位置決めされた状態で、穴４４６にロッド部４１６を挿入することにより、支持部４１０にセットされる。そして、弦係止部４４０は、弦５０の張力によりネック側に引っ張られることで、穴４４６が形成されている面が、支持部４１０のロッド部４１６が設けられている面に対して接し、支持部４１０に係止されるとともにネック側への動きが制限され、弦方向の位置が固定される。また、穴４４６にロッド部４１６を挿入されることにより、弦方向から外れる方向（例えば、弦方向と直交する方向）への動きが制限される。
【００４６】
肉厚部４４２の弦方向と直交する一辺には、各弦５０ごとに、弦方向に貫通する孔４４３が形成されている。孔４４３は、ボルト部４６０の雄ネジ４６２を貫通できる口径となっている。
【００４７】
ボルト部４６０は、頭部４６１と雄ネジ４６２を有する。雄ネジ４６２は、ネック側から、バネ４７０を介して孔４４３に挿入される。そして、孔４４３を貫通して、ナット部４５０の雌ネジ孔４５３に挿入される。
【００４８】
ナット部４５０には、雄ネジ４６２に対応する雌ネジ孔４５３が形成されている。雌ネジ孔４５３には、弦方向の少なくとも一部の幅に雌ネジが形成されているとともに、雌ネジが形成されていない部分の口径は、雄ネジ４６２が通過できる大きさとなっている。
【００４９】
ボルト部４６０は、バネ４７０及び孔４４３を介して、雄ネジ４６２及び雌ネジ孔４５３により、弦方向の位置を調整可能に弦係止部４４０の肉厚部４４２に支持される。すなわち、ナット部４５０が左又は右に回転することにより、ボルト部４６０は弦方向に移動可能である。
【００５０】
ここで、頭部４６１及び雄ネジ４６２には、弦５０を貫通する孔４６３が形成されている。孔４６３の口径は、弦５０のボールエンド５１が通過できない大きさとなっている。また、ナット部４５０の雌ネジ孔４５３は、弦５０を貫通する孔としても機能するものである。雌ネジ孔４５３の口径は、ボールエンド５１が通過できる大きさとなっている。
【００５１】
すなわち、弦５０が張られた状態において、ボールエンド５１は、雄ネジ４６２の先端部に引っ掛かり、係止される。従って、ナット部４５０を回転させてボルト部４６０を弦方向に移動すると、ボールエンド５１の弦方向の位置も移動するため、弦の張力を調整することができる。
【００５２】
なお、ボルト部４６０は、雄ネジ４６２の先端部に係止されたボールエンド５１がネック側に引っ張られることで、ネック側に引っ張られる。しかし、ボルト部４６０は、ナット部４５０が、肉厚部４４２の孔４４３が設けられているネックと反対側の面に接して係止されることにより、ネック側への動きが制限され、ナット部４５０の回転量に応じた弦方向の位置に固定される。
【００５３】
バネ４７０は、その両端が、ボルト部４６０の頭部４６１の雄ネジ４６２が設けられている面と、肉厚部４４２の孔４４３が設けられているネック側の面とに挟まれる。これにより、孔４４３を始点とする雄ネジ４６２のぐらつき（ボルト部４６０のぐらつき）が、所定範囲に制限される。
【００５４】
なお、図では、バネ４７０としてコイルばねを用いているが、ぐらつきを制限できれば、他の種類のばね、弾性体等を用いてもよい。
【００５５】
ナット部４５０の外周には、人間が指で掴んで回すことができる滑り止めが形成されている。ユーザーは、ナット部４５０を簡単に回すことができ、ボルト部４６０を簡単に弦方向に移動することができる。
【００５６】
このように、ギター１は、組み立てた状態において、支持部４１０を弦方向に移動することにより、弦係止部４４０全体を弦方向に移動させ、全ての弦の張力をまとめて調整することができる。また、弦係止部４４０の各弦のボルト部４６０を弦方向に移動することにより、各弦の張力を調整することができる。
【００５７】
また、ギター１は、持ち運ぶ際には、例えば、ボディ部１０（弦調整部４０のうち弦係止部４４０以外の部を含む。）と、ネック部２０（弦固定部３０のうち弦係止部３００以外の部を含む。）と、弦係止部４４０及び弦係止部３００（弦５０を取り付けたままの状態では、一体として扱うことができる。）と、に分解することができる。そして、分解した各部は、例えば、ケース５００のようなケースに収納することができる。
【００５８】
ギター１を持ち運ぶ際の分解の手順の一例を説明する。（１）雄ネジ４２０を所定回転方向に回転させて、支持部４１０をネック側に移動させ、弦５０を適度に緩める。（２）雄ネジ３２０を所定回転方向に回転させて外し、弦係止部３００を基盤部３１０から取り外す。（３）弦係止部４４０を支持部４１０から取り外す。（４）雄ネジ２４０を所定回転方向に回転させて外し、ネック部２０をボディ部１０から取り外す。なお、組み立ては、例えば、上記手順の逆を行えばよい。
【００５９】
以上のように、本発明の一実施形態によれば、弦やギターの破損を防止し易くするとともに、収納や持ち運びの利便性をより向上した構造のギターを提供することができる。
【００６０】
なお、以上の本発明の実施形態は、本発明の要旨と範囲を例示することを意図し、限定するものではない。
【００６１】
例えば、ネック側に引っ張られる弦係止部４４０が支持部４１０により係止されるのであれば、弦係止部４４０及び支持部４１０の互いに向かい合って接する面の位置、範囲、形状、数等は、図示した例に限られない。また、各面の形状は、平面的な形状に限られず、立体的な形状あってもよい。
【００６２】
また、例えば、弦方向から外れる方向への弦係止部４４０の動きが制限されるのであれば、穴４４６及びロッド部４１６の位置、大きさ、形状、数等は、図示した例に限られない。また、弦係止部４４０にロッド部を設け、支持部４１０に穴を設けるようにしてもよい。
【００６３】
また、例えば、弦方向から外れる方向への弦係止部４４０の動きが制限されるのであれば、穴４４６及びロッド部４１６といった構造に限られない。すなわち、弦係止部４４０及び支持部４１０の互いに向かい合って接する面に、互いに嵌り合う一組以上の凸部及び凹部が形成されるようにしてもよい。
【００６４】
なお、本発明は、ギターに限らず、ベースなどの他の弦楽器にも適用できる。
【符号の説明】
【００６５】
１：ギター、１０：ボディ部、１１：ピックアップ、１２：ブリッジ、２０：ネック部、２１：ナット、３０：弦固定部、４０：弦調整部、５０：弦、５１：ボールエンド、２１０：プレート、２１１：雌ネジ孔、２１２：穴、２２０：プレート、２２１：孔、２２２：孔、２４０：雄ネジ、３００：弦係止部、３０１：孔、３０２：雄ネジ、３０３：孔、３１０：基盤部、３１１：雌ネジ孔、３２０：雄ネジ、４００：基盤部、４０１：平板部、４０２：平板部、４０５：雌ネジ孔、４１０：支持部、４１１：平板部、４１２：肉厚部、４１５：雌ネジ孔、４１６：ロッド部、４２０：雄ネジ、４４０：弦係止部、４４１：平板部、４４２：肉厚部、４４３：孔、４４６：穴、４５０：ナット部、４５３：雌ネジ孔、４６０：ボルト部、４６１：頭部、４６２：雄ネジ、４６３：孔、４７０：バネ、５００：ケース、５１０：本体部、５２０：蓋部、５２１：紐部
【図１】
2014021179.tif 000003
【図２】
2014021179.tif 000004
【図３】
2014021179.tif 000005
【図４】
2014021179.tif 000006
【図５】
2014021179.tif 000007
【図６】
2014021179.tif 000008
【図７】
2014021179.tif 000009
【図８】
2014021179.tif 000010
【図９】
2014021179.tif 000011
【図１０】
2014021179.tif 000012
【図１１】
2014021179.tif 000013
【図１２】
2014021179.tif 000014
【図１３】
2014021179.tif 000015